(57)【特許請求の範囲】
【請求項１】
遊技機本体に配設される遊技盤と、該遊技盤を覆うように、その一側縁を枢支して遊技機本体に開閉可能に配設される透明前面扉とを備え、該透明前面扉に設けられた保持窓枠に内外の透明板が装着されてなる遊技機において、
保持窓枠の左右両側辺の上部背面に、透明板の側縁が内嵌する係止凹部を内外に連成した板バネからなる透明板規定片を、その外端を保持窓枠に固定して夫々設けるとともに、その係止凹部内周の内外側壁のいずれか一方を、下端部が上端部よりも内側位置となる傾斜面とし、
さらに保持窓枠の下辺に、透明板の下縁を支持し、内外の透明板の下部装着位置を夫々に規定する内外の収納溝が形成された下部装着部が設けられ、
透明板を傾斜状態として、その上端側縁を透明板規定片の内外いずれかの係止凹部に、下方から傾斜面に沿って斜めに挿入した後、下方へスライドさせて該透明板の下縁を下部装着部の内外いずれかの収納溝に嵌入して垂直状態とすることにより、内外の透明板が夫々装着されてなることを特徴とする遊技機。
【発明の詳細な説明】
【０００１】
【発明の属する技術分野】
本発明は、ガラス材、透明樹脂材等からなる透明板を保持する透明前面扉を備えた遊技機に関するものである。
【０００２】
【従来の技術】
遊技機本体に配設される遊技盤と、該遊技盤を覆うように、その一側縁を枢支して遊技機本体に開閉可能に配設される透明前面扉とを備える遊技機は種々提案されている。特にパチンコ遊技機にあって、透明前面扉は、内周に内外二つの収納溝を備えた保持窓枠と、各収納溝に夫々装着された内外の透明板とで構成されており、二枚の透明板を介して遊技盤面が視認されるようになっていることが一般的である。
【０００３】
この従来構成の透明前面扉は、保持窓枠の左右辺と下辺に収納溝が形成され、透明板を該収納溝の両側縁及び下縁で支えることにより保持するようになっている。また上辺には挿入開口が形成され、ガラス板等の透明板を装着する場合にあって、前面扉を遊技機本体に対して開放し、透明板を保持窓枠の上方から挿入開口に挿入して、両側の収納溝に沿って、その自重により所定の装着位置に落とし込まれるようになっている。なお、この挿入開口を杆状の閉塞桟により遮蔽して、透明板をその上縁でも保持するようにした構成も提案されているが、閉塞桟は、その両端部を保持窓枠に固定するものであるから、形状が複雑となり製造が面倒であり、適用されていない構造が多い。
【０００４】
【発明が解決しようとする課題】
透明板は、設置される遊技店への搬送途中で破損することを防ぐために、工場出荷の時点では透明前面扉に装着されていない状態となっており、遊技機が遊技店の島設備に設置された時点で透明板が装着される。
ところで透明板は、上部の開口部より１枚ずつ挿入する必要があり、取付け作業や取り外し作業が大変煩わしいものとなっている。すなわち、透明板は通常ガラス板からなり、遊技球の衝突や外部からの衝撃に耐えれるように厚く作られているため比較的重いものとなっている。その透明板を保持窓枠の上部の開口部まで持ち上げ、誤って透明板を落下させることのないように、細心の注意を図りながら収納溝に沿わせてゆっくりと下方にスライドさせなければならず、透明板の挿入作業は難しい作業であった。
本発明は、かかる問題を解決することを目的とする。
【０００５】
【課題を解決するための手段】
本発明は、遊技機本体に配設される遊技盤と、該遊技盤を覆うように、その一側縁を枢支して遊技機本体に開閉可能に配設される透明前面扉とを備え、該透明前面扉に設けられた保持窓枠に内外の透明板が装着されてなる遊技機において、
保持窓枠の左右両側辺の上部背面に、透明板の側縁が内嵌する係止凹部を内外に連成した板バネからなる透明板規定片を、その外端を保持窓枠に固定して夫々設けるとともに、その係止凹部内周の内外側壁のいずれか一方を、下端部が上端部よりも内側位置となる傾斜面とし、
さらに保持窓枠の下辺に、透明板の下縁を支持し、内外の透明板の下部装着位置を夫々に規定する内外の収納溝が形成された下部装着部が設けられ、
透明板を傾斜状態として、その上端側縁を透明板規定片の内外いずれかの係止凹部に、下方から傾斜面に沿って斜めに挿入した後、下方へスライドさせて該透明板の下縁を下部装着部の内外いずれかの収納溝に嵌入して垂直状態とすることにより、内外の透明板が夫々装着されてなることを特徴とする。ここで、透明板規定片の外端とは、透明板面に対し直交方向にあって、遊技機の前面方向の端を示す。逆に遊技盤方向の端は内端とする。
【０００６】
かかる構成にあって、透明板の装着作業としては、透明前面扉の内側より、透明板の上端側縁を、傾斜状態で透明板規定片の係止凹部の下部から挿入していき、一旦垂直状態とできる位置まで挿入後、透明板を下方にスライドして所定装着位置に保持することが可能となる。この時、透明板規定片は、外端を保持窓枠に固定された片持ち梁形態となっていることより、該外端を支点として横方向に若干弾性的な傾動（たわみ変形）することが可能である。これにより、該挿入作業を一層容易に行うことができる。また、透明板規定片の係止凹部の凹幅を透明板の板厚よりも若干広くしておくことによっても、挿入作業を容易に行うことができる。このような透明板規定片は、できるだけ透明板の上端に近い位置となるように設けられることが望ましい。これにより、傾斜状態の透明板を挿入する作業が一層行い易くなる。而して、かかる構成によれば、上述した従来の透明板を上部からゆっくりと挿入していく作業に比して、透明板の上下方向移動量も少なくなるから、透明板の装着作業の負担を軽減することができる。尚、透明板を取り外す作業においても同様な効果を有する。
【０００７】
また、このような透明板規定片は透明板の上部装着位置を規定するものであるから、従来の遊技機のように、保持窓枠の側辺に透明板を装着するための収納溝を設けることなく、透明板を所定の装着位置に安定して保持することができる。これにより、透明前面扉が軽くなるから、該透明前面扉を開閉する作業が容易になると共に、透明前面扉を枢支する部位にかかる負荷を軽減できるため、疲労寿命が向上するという優れた利点もある。
【０００８】
このような透明板規定片が保持窓枠の左右両側辺に略同じ高さ位置で夫々に設けられている構成が提案される。かかる構成により、透明板規定片が透明板を左右の両側縁からバランス良く支持されることとなるから、透明板を適正な装着位置に安定して保持することが可能である。また、上述したように、透明板の上側端縁を透明板規定片の下側から挿入する場合にあっても、左右両側の透明板規定片が同じ高さ位置であると、挿入作業が容易に行い得る。
【０００９】
上述の透明板規定片は、保持窓枠と固定された外端を支点として横方向に、弾性的に傾動可能となるように形成されたものである。かかる構成にあって、透明板規定片を横方向外側に傾動させた状態とすることにより、透明板を係止凹部の下部から挿入する装着作業を一層容易に行うことが可能となる。また、比較的弾性変形量を大きくした場合には、透明板を遊技盤面側から押し込むようにして装着することも可能となる。而して、透明板の装着作業にかかる負担が一層軽減されることとなる。一方、かかる構成にあっては、透明板の横方向幅を、左右両側の係止凹部間隔（嵌入幅）よりも広くなるように配設することにより、係止凹部に嵌入されて保持状態の透明板は、透明板規定片の弾性作用によって、側端から板面方向に付勢力を受けて保持されることとなるから、透明板の保持安定性が一層向上するという優れた利点も生じる。これにより、係止凹部の凹幅よりも薄い板厚の透明板を利用した場合でも、安定的に保持することが可能である。
【００１０】
上記の透明板規定片は、板バネで形成された構成としている。このように板バネで形成することにより、透明板規定片が充分な弾性力を有するものとなるから、上記した透明板の装着作業性や、透明板の保持安定性を一層有利とすることができる。
【００１１】
また、透明板規定片が、断面円形状で、線状バネにより形成されたものである構成も提案される。かかる構成により、上述した傾斜状態とした透明板を透明板規定片の係止凹部の下部から斜めに挿入する装着作業にあって、傾斜状態の該透明板が透明板規定片の円周面に沿って挿入されることとなるから、透明板の傾斜角度によらず無理なく斜めに挿入していくことができる。而して、透明板の装着作業の作業性を一層向上することができる。また、このような透明板規定片は、透明板の板面と線接触することとなるから、挿入作業時にあっても透明板との接触面積が小さく、透明板に傷等が付くことを防止できる。
【００１２】
ここで、上記の透明板規定片を線状バネで形成することにより、透明板規定片が充分な弾性力を有するものとなるから、上記した透明板の装着作業性や、透明板の保持安定性を一層有利とすることができる。
【００１３】
一方、上述した透明板規定片が、係止凹部内周の内外壁のいずれか一方を、下端部が上端部よりも内側位置となる傾斜面としている構成にあっては、上述したように、透明板を傾斜状態で係止凹部の下部から斜めに挿入する装着作業にあって、透明板規定片を横方向外側に傾動させることなく、容易に係止凹部に挿入していくことができるから、透明板の装着作業の作業性が一層向上する。尚、このような傾斜面とした内外壁の他方は、ほぼ垂直面として、装着状態の透明板を適正に保持できるようにする。ここで、係止凹部の傾斜面は、挿入する透明板の傾斜角度と同じ角度となるように形成されることが望ましい。
【００１４】
また、保持窓枠の下辺に、透明板下縁を支持し、内外の透明板の下部装着位置を夫々に規定する下部装着部が形成されている構成としているから、透明板は、下部装着部により下部装着位置が規定されると共に、上述の透明板規定片により上部装着位置が規定されることにより、透明前面扉の保持窓枠に透明板が安定的に保持される。
【００１５】
【発明の実施の形態】
以下、本発明をパチンコ遊技機に適用した実施形態を、添付図面に従って説明する。
このパチンコ遊技機は、図１に示されるように、遊技島設備に固定される長方形状の外枠１と、この外枠１の前面開口部分を覆う遊技機本体２とからなり、これらがヒンジ部材３を介して開閉可能に枢着されている。
【００１６】
前記遊技機本体２の前面には、ほぼ正方形状の開口部４が中央上部に形成される板状の前枠５が備えられ、この前枠５が前記ヒンジ部材３を介して外枠１に枢着されている。また、この前枠５には、前記開口部４に着脱可能に取付けられる遊技盤６と、この遊技盤６の前方に配設された透明前面扉７と、この透明前面扉７の下方側に配設された上皿部材８と、この上皿部材８の下方側に配設された下皿部材９と、この下皿部材９の右側に突出する発射ハンドル１０を有する発射装置（図示せず）とが備えられている。なお、透明前面扉７と上皿部材８はそれぞれヒンジ部材（図示せず）を介して前枠５に軸支されており、メンテナンス時等において片開き状にそれぞれ開閉し得るようになっている。
【００１７】
この透明前面扉７は、ほぼ正方形状の額縁状に形成された金属製の保持窓枠２１に内外のガラス板等からなる内透明板２０ａ及び外透明板２０ｂが装着されて構成される。ここで保持窓枠２１には、図２のように、パチンコ遊技機前面側に透明前面扉７を縁取る矩形状の表飾り枠２５が形成されている。また、遊技盤６側には、保持窓枠２１の下辺に下部装着部２６が設けられ、該下部装着部２６の上部に内外二条の収納溝２３ａ，２３ｂが並行に形成されている。そして、この表飾り枠２５が前枠５の開口部４の左側部で軸支されており、これにより透明前面扉７はその一側縁を遊技機本体２に枢支されて開閉可能に保持される。
【００１８】
この保持窓枠２１の下部装着部２６には、内外の収納溝２３ａ，２３ｂの間には区画部３０が並成されており、該区画部３０により内透明板２０ａと外透明板２０ｂとを区画して、その内部に遊技案内プレート３９が挿入可能な間隙を生じさせている。このような下部装着部２６によって、収納溝２３ａ，２３ｂに嵌入された内透明板２０ａ及び外透明板２０ｂの下部装着位置が規定されることとなる。尚、内透明板２０ａ及び外透明板２０ｂには、通常、ガラス板が用いられる。
【００１９】
次に本発明の要部について説明する。
本実施形態例のパチンコ遊技機にあっては、保持窓枠２１の側辺２７，２７の上部背面に、透明板規定片４０，４０を、その外端４１，４１で固定するように配設したものである（図１参照）。この透明板規定片４０は、内透明板２０ａの側縁を内嵌する内係止凹部４２ａと、外透明板２０ｂの側縁を内嵌する外係止凹部４２ｂとを内外に連成したものである。尚、ここで、透明板規定片４０を保持窓枠２１の側辺２７に固定する手段としては、接着剤により接着する方法、ネジやボルト等で締結する方法等を用いることが可能である。
以下、かかる実施例に従って詳細に説明する。
【００２０】
（実施例１）（本発明外））
実施例１にあっては、図３のように、板バネにより形成された透明板規定片４０が保持窓枠２１の側辺２７に固定されている。ここで、透明板規定片４０は、保持窓枠２１に固定される外端固定部４３が形成された外端４１から屈曲して遊技盤方向に突出し、外係止凹部４２ｂが形成されている。この外係止凹部４２ｂから連続的に形成された区画凸部４４を介して、内係止凹部４２ａが連成されている。また、この内係止凹部４２ａの内側には内端部４５が形成されている。この透明板規定片４０は一体的に形成されてなる。そして、この透明板規定片４０は、外端４１で保持窓枠２１に固定された片持ち梁と同じ形態となっており、該外端４１を支点として内外横方向に弾性的な傾動（たわみ変形）が可能である。尚、この透明板規定片４０は、保持窓枠２１の反対側辺２７にも、同じ高さ位置で互いに対向するように配設される（図１参照）。
【００２１】
このような保持窓枠２１の側辺２７の上部に配設された透明板規定片４０、４０によって、内係止凹部４２ａ及び外係止凹部４２ｂに夫々に側縁が嵌着された内透明板２０ａ及び外透明板２０ｂの上部装着位置が規定されることとなる。
【００２２】
上述のように、内透明板２０ａ及び外透明板２０ｂは、透明板規定片４０に形成された内係止凹部４２ａ及び外係止凹部４２ｂによって上部装着位置が規定され、下部装着部２６に形成された収納溝２３ａ，２３ｂによって下部装着位置が規定されることとなる。このように、保持窓枠２１に装着及び保持される位置が決められることにより、内透明板２０ａ及び外透明板２０ｂが、保持窓枠２１に安定的に保持されることとなる。尚、ここで収納溝２３ａと内係止凹部４２ａとの垂直方向位置をほぼ同じとすることによって、内透明板２０ａがほぼ垂直に起立する状態で保持される。同様に収納溝２３ｂと外係止凹部４２ｂとの垂直方向位置をほぼ同じとすることによって、外透明板２０ｂがほぼ垂直に起立する状態で保持される。
【００２３】
本実施例１における内透明板２０ａ及び外透明板２０ｂの装着方法の一例を図４に従って説明する。
透明前面扉７を遊技機本体２に対して開放し、内側から、図４（イ）のように、外透明板２０ｂを傾斜状態として、その上端側縁を透明板規定片４０の係止凹部４２ｂの下部から斜めに挿入する。この時、透明板規定片４０を外端４１を支点として横方向外側に傾動させることにより、挿入作業を容易に行うことができる。そして、図４（ロ）のように、外透明板２０ｂを垂直状態とすることのできる位置まで係止凹部４２ｂに挿入し、垂直状態とする。ここで、透明板規定片４０の横方向外側への傾動を止め、外透明板２０ｂを下方へスライドさせて該外透明板２０ｂの下縁を下部装着部２６の収納溝２３ｂに嵌入する。こうして、図４（ハ）のように、外透明板２０ｂが所定の装着位置に保持される。その後、このような外透明板２０ｂの装着と同様に、内透明板２０ａを装着する。すなわち、内透明板２０ａを傾斜状態とし、その上端側縁を透明板規定片４０の係止凹部４２ａの下部から斜めに挿入する。ここでも、透明板規定片４０を横方向外側に傾動させることにより、挿入作業を容易に行うことができる。そして、内透明板２０ａを垂直状態として下方にスライドさせ、内透明板２０ａの下縁を下部装着部２６の収納溝２３ａに嵌入する。こうして、図４（ニ）のように、外透明板２０ｂ及び内透明板２０ａが適切に装着された状態となる。而して、かなりの重量である内透明板２０ａ及び外透明板２０ｂを、従来のように上下方向に大きく移動させることなく装着できるから、装着作業が比較的容易に行いえ、作業負担を軽減できる。さらには誤って透明板を落す等して破損する可能性も激減する。
【００２４】
ここで、透明板規定片４０は板バネを使用していることから、左右両側の係止凹部４２ａ、４２ｂの間隔幅に比して、内透明板２０ａ及び外透明板２０ｂの横幅が広くなるように設定することにより、保持状態で透明板規定片４０は横方向外側に傾動している状態となる。このため、内透明板２０ａ及び外透明板２０ｂは側端から付勢力を受け、一層安定して保持されることとなる。また、板厚が薄い内透明板２０ａ及び外透明板２０ｂを使用しても、透明板規定片４０により生じる付勢力によって安定的に保持することができることから、上述した装着作業を一層容易に行うことができるという優れた利点が生じる。
【００２５】
（実施例２）
実施例２にあっては、図５のように、線状バネにより形成された断面円形状の透明板規定片６０が保持窓枠２１の側辺２７に固定されている。ここで、透明板規定片６０は、保持窓枠２１に固定される外端固定部６３が形成された外端６１から屈曲して遊技盤方向に突出し、外係止凹部６２ｂが形成されている。この外係止凹部６２ｂから連続的に形成された区画凸部６４を介して、内係止凹部６２ａが連成されている。この透明板規定片６０は一体的に形成されてなる。また、この透明板規定片６０は線状バネで形成されたものであるから、係止凹部６２ａ、６２ｂの各凹幅を弾性的に拡開することが可能である。このため、内透明板２０ａ及び外透明板２０ｂの板厚よりも係止凹部６２ａ、６２ｂの凹幅を狭く設定し、保持状態では係止凹部６２ａ，６２ｂが拡開した状態とすることにより、板厚方向に付勢力が生じることとなるから、内透明板２０ａ及び外透明板２０ｂを一層安定的に保持することができる。
【００２６】
本実施例２は、上述した実施例１の透明板規定片４０と、透明板規定片６０を線状バネで形成した以外は同じ構成であるので、他の構成部には同一符号を付してその説明を省略する。
【００２７】
本実施例２における内透明板２０ａ及び外透明板２０ｂの装着方法の一例を図６に従って説明する。
透明前面扉７を遊技機本体２に対して開放し、内側から、図６（イ）のように、外透明板２０ｂを傾斜状態として、その上端側縁を透明板規定片６０の係止凹部６２ｂの下部から斜めに挿入する。この時、透明板規定片６０が断面円形状であること、及び凹幅を拡口可能であることから、該透明板規定片６０を横外方向に傾動させなくとも、比較的容易に外透明板２０ｂを挿入することができる。そして、図６（ロ）のように、外透明板２０ｂを垂直状態とできる位置まで係止凹部６２ｂに挿入した後、下方へスライドさせて該外透明板２０ｂの下縁を下部装着部２６の収納溝２３ｂに嵌入する。こうして、図６（ハ）のように外透明板２０ｂが所定の装着位置に保持されることとなる。その後、同様にして、内透明板２０ａを装着し、図６（ニ）のように、外透明板２０ｂ及び内透明板２０ａが適切に装着された状態となる。而して、かなりの重量である内透明板２０ａ及び外透明板２０ｂを、比較的容易に装着することが可能となり、作業負担を軽減できると共に、誤って透明板を落とす等して破損する可能性も激減する。
【００２８】
（実施例３）
実施例３にあっては、図７のように、係止凹部の内外壁に傾斜面を形成した透明板規定片７０が保持窓枠２１の側辺２７に固定されている。ここで、透明板規定片７０は、保持窓枠２１に固定される外端固定部７３が形成された外端７１から屈曲して遊技盤方向に突出し、外係止凹部７２ｂが形成されている。この外係止凹部７２ｂは、その内側壁７８ｂの下端が上端よりも遊技盤側位置となるように、内側壁７８ｂを傾斜面としている。ここで、内側壁７８ｂの傾斜角度は、外透明板２０ｂを挿入する場合の傾斜角度と同じとする。そして、外係止凹部７２ｂから連続的に形成された区画凸部７４を介して、内係止凹部７２ａが連成されている。この内係止凹部７２ａは、その外側壁７７ａの下端が上端よりも遊技盤側位置となるように、外側壁７７ａを傾斜面としている。ここで、外側壁７７ａの傾斜角度は、内透明板２０ａを挿入する場合の傾斜角度と同じとする。このような透明板規定片７０にあって、外係止凹部７２ｂの外側壁７７ｂをほぼ垂直面としていることから、外透明板２０ｂは、外係止凹部７２ｂの外側壁７７ｂと内側壁７８ｂの上端とにより上部装着位置が規定される。また、内透明板２０ａは、内係止凹部７２ａの内側壁７８ａをほぼ垂直面としていることから、該内側壁７８ａと外側壁７７ａとにより上部装着位置が規定される。尚、この透明板規定片７０は一体的に形成されてなる。
【００２９】
本実施例３における内透明板２０ａ及び外透明板２０ｂの装着方法の一例を図８に従って説明する。
透明前面扉７を遊技機本体２に対して開放し、内側から、図８（イ）のように、外透明板２０ｂを傾斜状態として、その上端側縁を透明板規定片７０の外係止凹部７２ｂの下部から、内側壁７８ｂの傾斜面に沿って斜めに挿入する。この時、透明板規定片７０を横外方向に傾動させなくとも、比較的容易に外透明板２０ｂを挿入することができる。そして、図８（ロ）のように、外透明板２０ｂを垂直状態とできる位置まで外係止凹部７２ｂに挿入した後、下方へスライドさせて該外透明板２０ｂの下縁を下部装着部２６の収納溝２３ｂに嵌入する。こうして、図８（ハ）のように外透明板２０ｂが所定の装着位置に保持される。その後、同様にして、内透明板２０ａを傾斜状態として、その上端側縁を透明板規定片７０の内係止凹部７２ａの下部から外側壁７７ａの傾斜面に沿って斜めに挿入する。その後、内透明板２０ａを垂直状態とし、下方へスライドさせて下縁を下部装着部２６の収納溝２３ａ嵌入する。これにより、図８（ニ）のように、外透明板２０ｂ及び内透明板２０ａが適切に装着された状態となる。而して、かなりの重量である内透明板２０ａ及び外透明板２０ｂを、比較的容易に装着することが可能となり、作業負担を軽減できると共に、誤って透明板を落とす等して破損する可能性も激減する。
【００３０】
このような実施例３にあって、上述した実施例１と同様に、板バネにより透明板規定片７０を形成することもできる。そして、左右両側の内係止凹部７２ａ，７２ａ及び外係止凹部７２ｂ，７２ｂのそれぞれの間隔幅に比して、内透明板２０ａ及び外透明板２０ｂの横幅が広くなるように設定することにより、内透明板２０ａ及び外透明板２０ｂは保持状態で透明板規定片７０から付勢力を受けるから、一層安定して保持されることとなる。これにより、板厚が薄い内透明板２０ａ及び外透明板２０ｂを使用しても、安定的に保持することが可能となる。
【００３１】
本発明はパチンコ遊技機だけでなく、遊技盤６を覆うように配設される透明板２０ａ，２０ｂを保持する保持窓枠２１を備える他の遊技機にも適用できる。
【００３２】
【発明の効果】
本発明は、保持窓枠の側辺の上部背面に、透明板の側縁が内嵌する係止凹部を内外に連成してなる透明板規定片を、その外端で固定した構成としたものであるから、透明前面扉の内側より、傾斜状態とした透明板の上端側縁を係止凹部の下部から斜めに挿入していき、一旦垂直状態とできる位置まで透明板を挿入した後、垂直状態として下方にスライドさせて所定の装着状態とする装着作業を行うことが可能となる。而して、従来の透明板を上部からゆっくりと挿入していく作業に比して、透明板の上下方向移動量も少なくなるから、透明板の装着作業の負担を軽減することができる。尚、透明板を取り外す作業においても同様な効果を有する。また、このような透明板規定片を配設することにより、透明前面扉を軽量化でき、透明前面扉を枢支する部位にかかる負荷が軽減され、疲労寿命を向上させ得る。
【００３３】
このような透明板規定片が保持窓枠の左右両側辺に略同じ高さ位置で夫々に設けられるようにした構成にあっては、該透明板規定片により、透明板が左右の両側縁からバランス良く支持され、適正な装着位置に安定して保持されることとなる。
【００３４】
また、透明板規定片が、保持窓枠と固定された外端を支点として横方向に、弾性的に傾動可能となるように形成された構成にあっては、上述の透明板を係止凹部の下部から挿入する装着作業を一層容易に行うことが可能となり、透明板の装着作業にかかる負担が一層軽減される。また、透明板の横方向幅を、左右両側の係止凹部間隔（嵌入幅）よりも広くなるように配設することにより、係止凹部で保持状態の透明板は側端から付勢力により保持されるため、透明板の保持安定性が一層向上するという優れた利点も生じる。これにより、係止凹部の凹幅よりも薄い板厚の透明板を利用した場合でも、安定的に保持することが可能である。
【００３５】
ここで、透明板規定片が、板バネで形成された構成（請求項１）にあっては、透明板規定片が充分な弾性力を有するものとなるから、透明板の装着作業性や、透明板の保持安定性を一層有利とすることができる。
【００３６】
また、透明板規定片が、断面円形状に形成された構成とすることもできる。これにより、傾斜状態とした透明板を透明板規定片の係止凹部の下部から、傾斜角度によらず無理なく斜めに挿入することができ、透明板の装着作業の作業性が一層向上する。また、透明板の板面と線接触することとなるから、接触面積が小さく、装着作業時に透明板に傷等が付くことを防止できる。
【００３７】
ここで、透明板規定片が、線状バネで形成された構成にあっては、透明板規定片が充分な弾性力を有するものとなるから、透明板の装着作業性や、透明板の保持安定性を一層有利とすることができる。
【００３８】
一方、上述の透明板規定片が、係止凹部内周の内外壁のいずれか一方を、下端部が上端部よりも内側位置となる傾斜面とした構成（請求項１）とすることもできる。これにより、上述の透明板を傾斜状態で係止凹部の下部から斜めに挿入する装着作業にあって、容易に透明板を係止凹部に挿入していくことができ、作業性が一層向上する。
【００３９】
また、保持窓枠の下辺に、透明板下縁を支持し、内外の透明板の下部装着位置を夫々に規定する下部装着部が形成されるようにしたから、透明板は、下部装着部により下部装着位置が規定されると共に、上述の透明板規定片により上部装着位置が規定されることとなるため、透明前面扉の保持窓枠に安定的に保持されることとなる。
【図面の簡単な説明】
【図１】  パチンコ遊技機の斜視図である。
【図２】  透明前面扉７の縦断側面図である。
【図３】  実施例１の透明板規定片４０及び透明前面扉７の右上隅部を示す斜視図である。
【図４】  実施例１の外透明板２０ｂ及び内透明板２０ａの装着作業を表す説明図である。
【図５】  実施例２の透明板規定片６０及び透明前面扉７の右上隅部を示す斜視図である。
【図６】  実施例２の外透明板２０ｂ及び内透明板２０ａの装着作業を表す説明図である。
【図７】  実施例３の透明板規定片７０及び透明前面扉７の左上隅部を示す斜視図である。
【図８】  実施例３の外透明板２０ｂ及び内透明板２０ａの装着作業を表す説明図である。
【符号の説明】
６  遊技盤
７  透明前面扉
２０ａ  内透明板
２０ｂ  外透明板
２１  保持窓枠
２６  下部装着部
２７  側辺
４０  透明板規定片
４１  外端
４２ａ  内係止凹部
４２ｂ  外係止凹部
６０  透明板規定片
６１  外端
６２ａ  内係止凹部
６２ｂ  外係止凹部
７０  透明板規定片
７１  外端
７２ａ  内係止凹部
７２ｂ  外係止凹部
７７ａ，７７ｂ  外側壁
７８ａ，７８ｂ  内側壁
【図１】
0003856378.tif 000002
【図２】
0003856378.tif 000003
【図３】
0003856378.tif 000004
【図４】
0003856378.tif 000005
【図５】
0003856378.tif 000006
【図６】
0003856378.tif 000007
【図７】
0003856378.tif 000008
【図８】
0003856378.tif 000009